(57)【要約】【課題】背面板の隔壁と前面板の光吸収層の位置ずれが生じても、輝度低下が少なく、かつ光吸収層が外光反射を低減して表示画像のコントラストを改善することができるプラズマディスプレイパネルを提供する。【解決手段】本発明のプラズマディスプレイパネルは、直交する隔壁により形成される複数のセルを有し、セルに蛍光体を充填した背面板と、背面板との間に放電空間を形成するよう背面板と対向配置された前面板とを有し、放電により蛍光体を発光させ表示光を発するプラズマディスプレイパネルであって、前面板は、映像表示面の長手方向と平行な第１方向隔壁に各々対応して隔壁の前面板側に並列配置された第１ブラックストライプを有し、第１ブラックストライプ各々は、第１方向の隔壁の両側に位置するセル上にその一部が交互にはみ出るよう前面板に配置される。【選択図】図１ｂ
2009193947.tif 000002
【特許請求の範囲】
【請求項１】
直交する隔壁により形成される複数のセルを有し、前記セルに蛍光体を充填した背面板と、前記背面板との間に放電空間を形成するよう前記背面板と対向配置された前面板と、を備え、放電により前記蛍光体を発光させ表示光を発するプラズマディスプレイパネルであって、
前記前面板は、
映像表示面の長手方向と平行な第１方向の前記隔壁に各々対応して前記隔壁の前記前面板側に並列配置された第１ブラックストライプを有し、
前記第１ブラックストライプ各々は、前記第１方向の前記隔壁の両側に位置する前記セル上にその一部が交互にはみ出るよう前記前面板に配置される、プラズマディスプレイパネル。
【請求項２】
前記第１ブラックストライプ各々は、前記第１方向と直交する第２方向の端部に凹凸形状を有する、請求項１記載のプラズマディスプレイパネル。
【請求項３】
前記第１ブラックストライプ各々の前記第２方向の一方の端部の凸部と、他方の端部の凸部とは、同一形状である請求項１または請求項２記載のプラズマディスプレイパネル。
【請求項４】
前記第２方向に隣り合う前記第１ブラックストライプは同一形状である、請求項１乃至請求項３のいずれかに記載のプラズマディスプレイパネル。
【請求項５】
前記第２方向の前記隔壁に各々対応して前記隔壁の前記前面板側に並列配置された第２ブラックストライプを更に有する請求項１乃至請求項４のいずれかに記載のプラズマディスプレイパネル。
【請求項６】
前記第２ブラックストライプ各々は、複数に分割されている、請求項５記載のプラズマディスプレイパネル。
【請求項７】
並列配置された前記第１ブラックストライプの一部は、並列配置された前記第２ブラックストライプに接するよう配置されている、請求項６記載のプラズマディスプレイパネル。
【請求項８】
前記第１および／又は第２ブラックストライプの前記背面板側に反射膜を形成した、請求項１乃至請求項７のいずれかに記載のプラズマディスプレイパネル。
【発明の詳細な説明】
【技術分野】
【０００１】
本発明は、プラズマディスプレイパネルに関する。
【背景技術】
【０００２】
近年、ＣＲＴディスプレイ装置に代わるフラットディスプレイ装置への期待が高まり、奥行きを抑えた液晶ディスプレイ装置やプラズマディスプレイ装置などが普及している。特に、大画面のフラットディスプレイ装置にはプラズマディスプレイ装置が用いられることも多い。
【０００３】
プラズマディスプレイ装置は、主にプラズマディスプレイパネルと前面フィルタから構成されている。プラズマディスプレイパネルは、ガス放電により発生した紫外線で蛍光体を励起することにより可視光を発生させる表示デバイスであり、放電空間を区画した放電セル毎に発光を制御することにより画像を形成する。
【０００４】
例えば、マトリックス表示方式のプラズマディスプレイパネルでは、複数の電極（表示電極およびアドレス電極）が格子状に配列され、各電極の交差部となる放電セルを選択的に発光させることにより画像を形成する。
【０００５】
各放電セルの発光原理は以下の通りである。すなわち、点灯すべき放電セルの対向電極間に数十ｋＨｚから数百ｋＨｚのパルス状ＡＣ電圧を印加すると、壁電荷が蓄積されて表示放電が起こり、放電セル内に封入された放電ガスの成分であるＸｅから紫外線が放射される。放射された紫外線は、放電セル内に形成された赤、青、緑の蛍光体を励起して各々の色の可視光を発生させる。ここで、３色の放電セル１組を１画素とし、各色の発光強度を例えば２５６段階に制御することにより１６７０万色のフルカラー表示が可能である。
【０００６】
このように、プラズマディスプレイパネルの発光は放電現象を利用しているので応答速度も速く、ＣＲＴと同様に蛍光体を使用するために色再現性も良いことから、テレビ映像などの動画表示に適している。また、プラズマディスプレイパネルはその構造上、比較的容易に大画面を実現することができ、自発光で視野角依存性も無く、暗室におけるコントラストの高い優れた映像表示能力を有しているので、大画面ＴＶ受像機として需要を急速に拡大しつつある。
【０００７】
しかしながら、プラズマディスプレイパネルの各放電セル内には反射率の高い蛍光体が形成されているので、暗い環境下では高いコントラストを実現できるが、明るい環境下では外光反射が大きく、コントラストが低下しやすいという問題がある。そのため、明るい環境下でも高いコントラストを維持することのできるプラズマディスプレイパネルが要望されている。
【０００８】
このような要望に対して、例えば、放電空間を区画する背面板の隔壁と重なるようにストライプ状の光吸収層としてブラックマトリックスを前面板に配置して、外部からプラズマディスプレイパネルに到達し、プラズマディスプレイパネル内部で反射する光を減衰させて、コントラストを良好にする技術（特許文献１）が提案されている。
【特許文献１】特開２００７−１３４２６４号公報
【発明の開示】
【発明が解決しようとする課題】
【０００９】
しかしながら、上述した構成においては、プラズマディスプレイパネルの製造工程において、前面板と背面板を貼り合せる時にそれぞれの基板の寸法がわずかに異なり、ブラックマトリックスに位置ずれが生じる。この位置ずれは、前面板のブラックマトリックスが背面板の隔壁の真上に配置されないで、ブラックマトリックスが発光部上に入り込むという状態である。この状態で、プラズマディスプレイを発光させると、ブラックマトリックスが発光部からの光を遮るため、輝度が低下するという問題があった。
【００１０】
そこで本発明の目的は、かかる点に鑑みてなされたものであり、背面板の隔壁と前面板の光吸収層の位置ずれが生じても、輝度低下が少なく、かつ光吸収層が外光反射を低減して表示画像のコントラストを改善することができるプラズマディスプレイパネルを提供することを目的とする。
【課題を解決するための手段】
【００１１】
本発明のプラズマディスプレイパネルは、直交する隔壁により形成される複数のセルを有し、前記セルに蛍光体を充填した背面板と、前記背面板との間に放電空間を形成するよう前記背面板と対向配置された前面板とを有し、放電により前記蛍光体を発光させ表示光を発するプラズマディスプレイパネルであって、前記前面板は、映像表示面の長手方向と平行な第１方向の前記隔壁に各々対応して前記隔壁の前記前面板側に並列配置された第１ブラックストライプを有し、前記第１ブラックストライプ各々は、前記第１方向の前記隔壁の両側に位置する前記セル上にその一部が交互にはみ出るよう前記前面板に配置される、構成を採る。
【発明の効果】
【００１２】
このように、本発明によれば、背面板の隔壁と前面板の光吸収層の位置ずれが生じても、輝度低下が少なく、かつ光吸収層が外光反射を低減して表示画像のコントラストを改善することができるプラズマディスプレイパネルを提供することができる。
【発明を実施するための最良の形態】
【００１３】
（実施の形態１）
図１ａは、本発明の実施の形態１に係るプラズマディスプレイパネルの構成を示す斜視図である。図１ｂは、図１ａのプラズマディスプレイパネルから前面基板１６を省略したプラズマディスプレイパネルの斜視図である。
【００１４】
図１ａにおいて、プラズマディスプレイパネル１は、外光反射を低減させる光吸収層としてのブラックストライプが配置されている前面板１０と、前面板１０との対向配置されている背面板２０とから構成されている。
【００１５】
前面板１０は、背面板２０との間に放電空間を形成するよう背面板２０と対向配置されている。
【００１６】
背面板２０は、直交する隔壁により形成される複数の放電セルを有し、放電セルに蛍光体が充填されている。
【００１７】
プラズマディスプレイパネル１は、前面板１０と背面板２０間の放電空間への放電により背面板２０の蛍光体を発光させて表示光を発する。
【００１８】
前面板１０は、例えば、保護層１１と、誘電体層１２と、横ブラックストライプ１３と、透明電極１５と、ガラス基板からなる前面基板１６と、対向電極１７とを有する。なお、ブラックマトリックスは、横ブラックストライプ１３で形成される。
【００１９】
図２は、図１のＡ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成されている。これにより、対向電極１７の導電性を高めるとともに、光を反射しやすい金属電極層１７ｂが表示面側から見えないようにしている。
【００２０】
図３は、実施の形態１における前面板１０の縦断面図である。
【００２１】
より詳細には、前面基板１６上に黒色材料によって横ブラックストライプ１３を形成した後、透明電極１５を形成し、対向電極１７の黒色層１７ａが透明電極１５と金属電極層１７ｂの間に配置されるようにして形成する。
【００２２】
横ブラックストライプ１３と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、横ブラックストライプ１３は、非導電性の材料を用い、黒色層１７ａは導電性の材料を用いる。
【００２３】
そして、それら透明電極１５と、横ブラックストライプ１３と、黒色層１７ａと、金属電極層１７ｂとを覆うように誘電体層１２を設け、さらにその上を覆うように保護層１１を設ける。誘電体層１２は、低融点ガラス等の粉体とバインダー成分としてのエチルセルロース樹脂と、溶剤とを混練して所定粘度としたペーストとを、印刷法または塗布法等で、膜厚０．０３ 〜 ０．０４ｍｍに塗布し乾燥させてから、焼成することによって形成する。保護層１１は、ＭｇＯを蒸着法やスパッタリング法によって３００〜５００ｎｍの厚さに形成している。
【００２４】
背面板２０は、背面基板２１と、誘電体層２２と、アドレス電極２３と、蛍光体層２４と、隔壁２５とを有する。
【００２５】
より詳細には、例えば、背面板２０は、まず、ガラス基板である背面基板２１上に銀等の導電性の高い金属材料からなるアドレス電極２３を形成し、その上に誘電体ガラスからなる誘電体層２２を形成する。次に、その上に低融点ガラスやフィラー等が混合された絶縁材料からなる隔壁２５をアドレス電極２３と平行に延びる縦隔壁２５ａと縦隔壁２５ａに交差する横隔壁２５ｂとによって格子状に形成する。隔壁２５によって区画された各放電セル内には、赤色（Ｒ）、緑色（Ｇ）、青色（Ｂ）の各色に発光する蛍光体ペーストを放電セル内の底面および壁面に配設して蛍光体層を形成する。その後、背面板２０の周囲に前面板１０との封着用ガラスフリットを塗布し、ガラスフリット内の樹脂成分等を除去するために３５０ ℃ 程度で焼成してフリット形成を行う。
【００２６】
なお、対向電極１７の金属電極層１７ｂおよびアドレス電極２３については、例えば、銀を主成分とする金属材料等の導電性材料に、感光性材料を含有させた材料を基板全面に塗布し、これを電極パターンを備えたフォトマスクにより露光し、その後、それを現像するフォトリソグラフィ法によってパターニングすることで、所定の位置に所定の形状で形成することができる。また、蛍光体層の形成方法には、スクリーン印刷によって形成するスクリーン法、蛍光体シートをラミネートし、フォト工程によって所定パターンを形成するフォト法、微細なノズルから蛍光体インクを垂らして塗布するインクジェット法等がある。
【００２７】
ここで、横ブラックストライプ１３は、横隔壁２５ｂの真上に配置されることが望ましい。しかし、上述のように、前面板１０と背面板２０を貼り合せる時にそれぞれの基板の寸法がわずかに異なり、横ブラックストライプの位置ずれが生じる。
【００２８】
通常、横ブラックストライプは、横隔壁２５ｂの幅に合わせた均等な幅を有するストライプから構成される。そのため、短手方向に前面板１０の位置ずれが生じると、位置ずれが生じた分だけ蛍光体層２４が塗布された発光部を横ブラックストライプが覆う。
【００２９】
本実施の形態では、ブラックストライプの形状を工夫して、横ブラックストライプ１３の位置ずれが生じても、輝度低下を少なく、かつ光吸収層が外光反射を低減して表示画像のコントラストを改善することができるプラズマディスプレイパネルを提供する。
【００３０】
図１ｂでは、背面板２０の横隔壁２５ｂと、横ブラックストライプ１３の位置関係が示される。なお、蛍光体層２４が塗布される放電セルとの関係を分かりやすくするために、前面板１０の透明電極１５と、対向電極１７とを合わせて図示する。図４は、背面板２０の縦隔壁２５ａと、前面板１０の透明電極１５と、対向電極１７と、横ブラックストライプ１３との位置関係を示した正面概略図である。なお、横隔壁２５ｂは、横ブラックストライプ１３の下に配置されている。
【００３１】
前面板１０は、映像表示面の長手方向と平行な第１方向の前記隔壁に各々対応して前記隔壁の前記前面板側に並列配置された第１ブラックストライプを有する。具体的には、前面板１０は、第１方向の横隔壁２５ｂに各々対応して並列配置された横ブラックストライプ１３を有する。ここで、第１方向は、映像表示面の長手方向であり、第１ブラックストライプは、横ブラックストライプ１３に相当する。なお、前面板１０の短手方向と、映像表示面の短手方向とは一致し、前面板１０の長手方向と、映像表示面の長手方向とは一致する。
【００３２】
さらに、第１ブラックストライプ各々は、第１方向の隔壁の両側に位置するセル上にその一部が交互にはみ出るよう前面板１０に配置される。具体的には、各々の横ブラックストライプ１３は、長手方向の横隔壁２５ｂから放電セル上にその一部が短手方向に交互にはみ出るよう前面板１０に配置されている。なお、横ブラックストライプ１３がはみ出る範囲は、輝度低下が少なく、かつ光吸収層が外光反射を低減するために、１つの放電セルに対応する横隔壁２５ｂの上下方向にそれぞれ均等に配置されていることが望ましい。
【００３３】
また、第１ブラックストライプ各々は、第１方向と直交する第２方向の端部に凹凸形状を有する。具体的には、横ブラックストライプ１３の一部が短手方向に交互にはみ出ることにより、各々の横ブラックストライプ１３は、長手方向と直交する短手方向に交互に凹凸形状を有する。ここで、第２方向は、短手方向である。また、横ブラッストライプ１３の一部が短手方向に交互にはみ出ることにより、横ブラックストライプ１３各々は、長手方向端部に凹凸形状を有する。
【００３４】
また、横ブラックストライプ１３各々の長手方向の一方の端部の凸部と、他方の端部の凸部とは、同一形状である。同一形状とすることにより、発光される表示光は、放電セル毎に均一なる。
【００３５】
また、短手方向に隣り合う横ブラックストライプ１３は、同一形状である。同一形状とすることにより、画面全体の表示光は、均一に発光される。
【００３６】
ここで、短手方向とは、縦隔壁２５ａの長さ方向であり、長手方向とは、横隔壁２５ｂの長さ方向である。また、構成要素としての横ブラックストライプ１３は、例えば、図１ｂおよび図４に示す長方形などの矩形からなる。ここで、この横ブラックストライプ１３のずれ量（はみ出し量）を、例えば、横隔壁２５ｂの幅の１／４にする。なお、構成要素としての横ブラックストライプ１３の形状は、矩形に限らず、円形、楕円形、多角形でもよい。
【００３７】
また、横ブラックストライプ１３は、２層構造からなり、前面板１０側を黒色層とし、放電空間側を例えば銀等の反射率の高い金属材料から形成された反射膜を有する構成としてもよい。これにより、外光反射を低減するとともに、発光した光を反射膜で反射することにより、観察者側に出る映像光を増加させる。
【００３８】
本実施の形態では、横隔壁２５ｂの真上に横ブラックストライプ１３が配置された状態で、ずれ量分の横ブラックストライプ１３が発光部に入り込んでいるとする。ここで、発光部に入り込んでいるずれ量分の面積を面積Ａとする、この状態を初期状態とすると、例えば、前面板１０の配置が下方向に横隔壁２５ｂの幅の１／４ずれた場合に、放電セルの上側では発光部に入り込む横ブラックストライプ１３の面積は、面積２Ａ分増加する。しかし、放電セルの下側では発光部から面積Ａ分退くため、横ブラックストライプ１３の面積は、面積Ａ分減少する。これにより、実質的には、放電セルの発光部に入り込む横ブラックストライプ１３の面積は面積Ａ分だけ増加する。
【００３９】
従来のストレートタイプのブラックストライプを長手方向に同じ長さで配置した場合では、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００４０】
また、例えば、前面板１０の配置が下方向に横隔壁２５ｂの幅の１／４ずれた場合に、放電セルの上側および下側では横隔壁２５ｂが露出される面積は、それぞれ面積Ａ分増加する。
【００４１】
従来のストレートタイプのブラックストライプを長手方向に同じ長さで配置した場合では、放電セルの上側および下側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００４２】
上述した前面板１０と背面板２０とは、対向電極１７とアドレス電極２３とが直交するように、かつ横隔壁２５ｂ上に横ブラックストライプ１３が配置されるようにして、微小な放電空間を挟んで対向配置されている。そして、その外周部がガラスフリット（図示せず）と呼ばれる封着材によって気密封着されている。
【００４３】
このように構成されたプラズマディスプレイパネル１において、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００４４】
このように、本実施の形態のプラズマディスプレイパネルによれば、背面板の隔壁と前面板の光吸収層の位置ずれが生じても、横ブラックストライプが、長手方向の横隔壁から放電セル上にその一部が短手方向に交互にはみ出るよう前面板に配置されるため、輝度低下が少なく、かつ光吸収層が外光反射を低減して表示画像のコントラストを改善することができるプラズマディスプレイパネルを提供することができる。
【００４５】
（実施の形態２）
次に、本発明の実施の形態２について説明する。図５ａは、本発明の実施の形態２に係るプラズマディスプレイパネルの構成を示す斜視図である。図５ｂは、図５ａのプラズマディスプレイパネル１ａから前面基板１６を省略したプラズマディスプレイパネルの斜視図である。なお、図５ａおよび図５ｂにおいて、図１ａと同じ構成要素については同じ符号を付し、説明を省略する。
【００４６】
図５ａにおいて、プラズマディスプレイパネル１ａは、外光反射を低減させる光吸収層としてのブラックマトリックスが配置されている前面板１０ａと、前面板１０ａと対向配置されている背面板２０とから構成されている。
【００４７】
前面板１０ａは、背面板２０との間に放電空間を形成するよう背面板２０と対向配置されている。
【００４８】
背面板２０は、直交する隔壁により形成される複数の放電セルを有し、放電セルに蛍光体が充填されている。
【００４９】
プラズマディスプレイパネル１ａは、前面板１０ａと背面板２０間の放電空間への放電により背面板２０の蛍光体を発光させて表示光を発する。
【００５０】
前面板１０ａは、例えば、保護層１１と、誘電体層１２と、透明電極１５と、ガラス基板からなる前面基板１６と、対向電極１７と、横ブラックストライプ３３と、縦ブラックストライプ４３とを有する。なお、ブラックマトリックスは、横ブラックストライプ３３と、縦ブラックストライプ４３とで形成される。
【００５１】
図６は、図５のＢ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成された金属電としている。これにより、対向電極１７の導電性を高めるとともに、光を反射しやすい金属電極層１７ｂが表示面側から見えないようにしている。
【００５２】
図７は、実施の形態２における前面板１０ａの縦断面図である。
【００５３】
より詳細には、前面基板１６上に黒色材料によって横ブラックストライプ３３と、縦ブラックストライプ４３とを形成する。次に、保護膜４７と、透明電極１５とを形成した後、対向電極１７の黒色層１７ａが、透明電極１５と金属電極層１７ｂの間に配置されるようにして形成する。
【００５４】
横ブラックストライプ３３と、縦ブラックストライプ４３と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、横ブラックストライプ３３と、縦ブラックストライプ４３と、黒色層１７ａとは同じ導電性のある材料を用いる。この時、電極間の短絡を避けて、電気的に絶縁するために、横ブラックストライプ３３と縦ブラックストライプ４３を形成した後、少なくとも横ブラックストライプ３３と縦ブラックストライプ４３の背面板２０側に透明な保護膜４７を形成する。なお、保護膜４７での絶縁に限られず、電極間の短絡が避けられれば他の構成であってもよい。例えば横ブラックストライプ３３と縦ブラックストライプ４３を非導電性材料で形成してもよい。このようにすれば、保護膜４７は不要である。
【００５５】
そして、横ブラックストライプ３３と、縦ブラックストライプ４３と、保護膜４７と、透明電極１５と、黒色層１７ａと、金属電極層１７ｂとを覆うように誘電体層１２を設け、さらにその上を覆うように保護層１１を設ける。
【００５６】
ここで、横ブラックストライプ３３は、横隔壁２５ｂの真上に配置されることが望ましい。しかし、上述のように、前面板１０ａと背面板２０を貼り合せる時にそれぞれの基板の寸法がわずかに異なり、ブラックマトリックスの位置ずれが生じる。
【００５７】
通常、ブラックマトリックスの横ブラックストライプは、横隔壁２５ｂの幅に合わせた均等な幅を有するストライプから構成される。そのため、短手方向に前面板１０ａの位置ずれが生じると、位置ずれが生じた分だけ蛍光体層２４が塗布された発光部を横ブラックストライプが覆う。
【００５８】
本実施の形態では、横ブラックストライプの形状を工夫して、横ブラックストライプの位置ずれが生じても、輝度低下を少なく、かつ光吸収層が外光反射を低減して表示画像のコントラストを改善することができるプラズマディスプレイパネルを提供する。
【００５９】
図８は、前面板１０ａの透明電極１５と、対向電極１７と、横ブラックストライプ３３と、縦ブラックストライプ４３との位置関係を示した正面概略図である。なお、縦隔壁２５ａは、縦ブラックストライプ４３の下に配置され、横隔壁２５ｂは、横ブラックストライプ３３の下に配置されている。
【００６０】
前面板１０ａは、映像表示面の長手方向と平行な第１方向の隔壁に各々対応して隔壁の前面板側に並列配置された第１ブラックストライプを有する。具体的には、前面板１０ａは、第１方向の横隔壁２５ｂに各々対応して並列配置された横ブラックストライプ３３を有する。ここで、第１方向は、映像表示画の長手方向であり、第１ブラックストライプは、横ブラックストライプ３３に相当する。なお、前面板１０ａの短手方向と、映像表示面の短手方向とは一致し、前面板１０ａの長手方向と、映像表示面の長手方向とは一致する。
【００６１】
さらに、第１ブラックストライプ各々は、第１方向の隔壁の両側に位置するセル上にその一部が交互にはみ出るよう前面板に配置される。具体的には、各々の横ブラックストライプ３３は、長手方向の横隔壁２５ｂから放電セル上にその一部が短手方向に交互にはみ出るよう前面板１０ａに配置されている。なお、横ブラックストライプ３３がはみ出る範囲は、輝度低下が少なく、かつ光吸収層が外光反射を低減するために、１つの放電セルに対応する横隔壁２５ｂの上下方向にそれぞれ均等に配置されていることが望ましい。
【００６２】
また、第１ブラックストライプ各々は、第１方向と直交する第２方向の端部に凹凸形状を有する。具体的には、横ブラックストライプ３３の一部が短手方向に交互にはみ出ることにより、横ブラックストライプ３３各々は、短手方向に交互に凹凸形状を有する。ここで、第２方向は、短手方向である。また、横ブラッストライプ３３の一部が長手方向と直交する短手方向に交互にはみ出ることにより、横ブラックストライプ３３各々は、長手方向端部に凹凸形状を有する。
【００６３】
また、横ブラックストライプ３３各々の長手方向の一方の端部の凸部と、他方の端部の凸部とは、同一形状である。同一形状とすることにより、発光される表示光は、放電セル毎に均一なる。
【００６４】
また、短手方向に隣り合う横ブラックストライプ３３は、同一形状である。同一形状とすることにより、画面全体の表示光は、均一に発光される。
【００６５】
ここで、短手方向とは、縦隔壁２５ａの長さ方向であり、長手方向とは、横隔壁２５ｂの長さ方向である。また、構成要素としての横ブラックストライプ３３は、例えば、図８に示す長方形などの矩形からなる。ここで、この横ブラックストライプ３３のずれ量（はみ出し量）を、例えば、横隔壁２５ｂの幅の１／４にする。なお、構成要素としての横ブラックストライプ３３の形状は、矩形に限らず、円形、楕円形、多角形でもよい。
【００６６】
本実施の形態において、左右の横ブラックストライプ３３は、接している。左の横ブラックストライプ３３と右の横ブラックストライプ３３が接している理由は、横ブラックストライプ３３の面積を大きくするためである。
【００６７】
また、第２ブラックストライプ各々は、複数に分割されている。具体的には、正方形の縦ブラックストライプ４３は、離れている。第２ブラックストライプは、縦ブラックストライプ４３に相当する。離れている理由は、縦ブラックストライプ４３は、導電性を有するため、対向電極１７どうしの短絡を防止するために、電極に接するブラックストライプは、隣のブラックストライプと繋がらないようにギャップを設けている。
【００６８】
また、縦ブラックストライプ４３および／又は横ブラックストライプ３３は、２層構造からなり、前面板１０ａ側を黒色層とし、放電空間側を例えば銀等の反射率の高い金属材料から形成された反射膜を有する構成としてもよい。これにより、外光反射を低減するとともに、発光した光を反射膜で反射することにより、観察者側に出る映像光を増加させる。
【００６９】
本実施の形態では、横隔壁２５ｂの真上に横ブラックストライプ３３が配置された状態で、ずれ量分の横ブラックストライプ３３が発光部に入り込んでいるとする。ここで、発光部に入り込んでいるずれ量分の面積を面積Ａとする、この状態を初期状態とすると、例えば、前面板１０ａの配置が下方向に横隔壁２５ｂの幅の１／４ずれた場合に、放電セルの上側では発光部に入り込む横ブラックストライプ３３の面積は、面積２Ａ分増加する。しかし、放電セルの下側では発光部から面積Ａ分退くため、横ブラックストライプ３３の面積は、面積Ａ分減少する。これにより、実質的には、放電セルの発光部に入り込む横ブラックストライプ３３の面積は面積Ａ分だけ増加する。
【００７０】
従来のストレートタイプのブラックマトリックスを長手方向に同じ長さで配置した場合では、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００７１】
また、例えば、前面板１０ａの配置が下方向に横隔壁２５ｂの幅の１／４ずれた場合に、放電セルの上側および下側では縦隔壁２５ａが露出される面積は、それぞれ面積Ａ分増加する。
【００７２】
従来のストレートタイプのブラックマトリックスを長手方向に同じ長さで配置した場合では、放電セルの上側および下側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００７３】
上述した前面板１０ａと背面板２０とは、対向電極１７とアドレス電極２３とが直交するように、かつ横隔壁２５ｂ上に横ブラックストライプ３３が配置されるようにして、微小な放電空間を挟んで対向配置されている。そして、その外周部がガラスフリット（図示せず）と呼ばれる封着材によって気密封着されている。
【００７４】
このように構成されたプラズマディスプレイパネル１ａにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００７５】
このように、本実施の形態のプラズマディスプレイパネルによれば、背面板の隔壁と前面板の光吸収層の位置ずれが生じても、横ブラックストライプが、長手方向の横隔壁から放電セル上にその一部が短手方向に交互にはみ出るよう前面板に配置されるため、輝度低下が少なく、かつ光吸収層が外光反射を低減して表示画像のコントラストを改善することができるプラズマディスプレイパネルを提供することができる。
【００７６】
（実施の形態３）
次に、本発明の実施の形態３について説明する。図９は、本発明の実施の形態３に係るプラズマディスプレイパネルの構成を示す斜視図である。なお、図９において、図１ａと同じ構成要素については同じ符号を付し、説明を省略する。
【００７７】
図９において、プラズマディスプレイパネル１ｂは、外光反射を低減させる光吸収層としてのブラックマトリックスが配置されている前面板１０ｂと、前面板１０ｂと対向配置されている背面板２０とから構成されている。
【００７８】
前面板１０ｂは、背面板２０との間に放電空間を形成するよう背面板２０と対向配置されている。
【００７９】
背面板２０は、直交する隔壁により形成される複数の放電セルを有し、放電セルに蛍光体が充填されている。
【００８０】
プラズマディスプレイパネル１ｂは、前面板１０ｂと背面板２０間の放電空間への放電により背面板２０の蛍光体を発光させて表示光を発する。
【００８１】
前面板１０ｂは、例えば、保護層１１と、誘電体層１２と、透明電極１５と、ガラス基板からなる前面基板１６と、対向電極１７と、縦ブラックストライプ４３と、横ブラックストライプ４４とを有する。
【００８２】
図１０は、図９のＣ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成された金属電としている。これにより、対向電極１７の導電性を高めるとともに、光を反射しやすい金属電極層１７ｂが表示面側から見えないようにしている。
【００８３】
図１１は、実施の形態３における前面板１０ｂの縦断面図である。
【００８４】
より詳細には、前面基板１６上に透明電極１５を形成した後、黒色材料によって縦ブラックストライプ４３と、横ブラックストライプ４４と、対向電極１７の黒色層１７ａとを形成する。対向電極１７の黒色層１７ａは、透明電極１５と金属電極層１７ｂの間に配置されるようにして形成する。なお、ブラックマトリックスは、縦ブラックストライプ４３と、横ブラックストライプ４４とで形成される。
【００８５】
縦ブラックストライプ４３と、横ブラックストライプ４４と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、縦ブラックストライプ４３と、横ブラックストライプ４４と、黒色層１７ａとは、同じ導電性のある材料を用いる。なお、縦ブラックストライプ４３と、横ブラックストライプ４４とは、非導電性の材料を用い、黒色層１７ａは導電性の材料を用いてもよい。
【００８６】
そして、それら透明電極１５と、縦ブラックストライプ４３と、横ブラックストライプ４４と、黒色層１７ａと、金属電極層１７ｂとを覆うように誘電体層１２を設け、さらにその上を覆うように保護層１１を設ける。
【００８７】
ここで、横ブラックストライプ４４は、横隔壁２５ｂの真上に配置されることが望ましい。しかし、上述のように、前面板１０ｂと背面板２０を貼り合せる時にそれぞれの基板の寸法がわずかに異なり、ブラックマトリックスの位置ずれが生じる。
【００８８】
通常、ブラックマトリックスの横ブラックストライプは、横隔壁２５ｂの幅に合わせた均等な幅を有するストライプから構成される。そのため、短手方向に前面板１０ｂの位置ずれが生じると、位置ずれが生じた分だけ蛍光体層２４が塗布された発光部を横ブラックストライプが覆う。
【００８９】
本実施の形態では、横ブラックストライプの形状を工夫して、横ブラックストライプの位置ずれが生じても、輝度低下を少なく、かつ光吸収層が外光反射を低減して表示画像のコントラストを改善することができるプラズマディスプレイパネルを提供する。
【００９０】
図１２は、背面板２０の縦隔壁２５ａと、前面板１０ｂの透明電極１５と、対向電極１７と、縦ブラックストライプ４３と、横ブラックストライプ４４との位置関係を示した正面概略図である。なお、横隔壁２５ｂは、横ブラックストライプ４４の下に配置されている。
【００９１】
前面板１０ｂは、映像表示面の長手方向と平行な第１方向の隔壁に各々対応して隔壁の前面板側に並列配置された第１ブラックストライプを有する。具体的には、前面板１０ｂは、第１方向の横隔壁２５ｂに各々対応して並列配置された長手方向の横ブラックストライプ４４を有する。ここで、第１方向は、映像表示画の長手方向であり、第１ブラックストライプは、横ブラックストライプ４４に相当する。なお、前面板１０ｂの短手方向と、映像表示面の短手方向とは一致し、前面板１０ｂの長手方向と、映像表示面の長手方向とは一致する。
【００９２】
さらに、第１ブラックストライプ各々は、第１方向の隔壁の両側に位置するセル上にその一部が交互にはみ出るよう前面板に配置される。具体的には、各々の横ブラックストライプ４４は、長手方向の横隔壁２５ｂから放電セル上にその一部が短手方向に交互にはみ出るよう前面板１０ｂに配置されている。なお、横ブラックストライプ４４がはみ出る範囲は、輝度低下が少なく、かつ光吸収層が外光反射を低減するために、１つの放電セルに対応する横隔壁２５ｂの上下方向にそれぞれ均等に配置されていることが望ましい。
【００９３】
また、第１ブラックストライプ各々は、第１方向と直交する第２方向の端部に凹凸形状を有する。具体的には、横ブラックストライプ４４の一部が短手方向に交互にはみ出ることにより、横ブラックストライプ４４各々は、短手方向に交互に凹凸形状を有する。ここで、第２方向は、短手方向である。また、横ブラッストライプ４４の一部が長手方向と直交する短手方向に交互にはみ出ることにより、各々の横ブラックストライプ４４は、長手方向端部に凹凸形状を有する。
【００９４】
また、横ブラックストライプ４４各々の長手方向の一方の端部の凸部と、他方の端部の凸部とは、同一形状である。同一形状とすることにより、発光される表示光は、放電セル毎に均一なる。
【００９５】
また、短手方向に隣り合う横ブラックストライプ４４は、同一形状である。同一形状とすることにより、画面全体の表示光は、均一に発光される。
【００９６】
また、前面板１０ｂは、短手方向の縦隔壁２５ａに各々対応して縦隔壁２５ａの前面板側に並列配置された短手方向の縦ブラックストライプ４３を有し、並列配置された長手方向の横ブラックストライプ４４の一部は、並列配置された短手方向の縦ブラックストライプ４３に接するよう配置されている。そして、各々の縦ブラックストライプ４３は、短手方向の縦隔壁２５ａから放電セル上にその一部が長手方向に交互にはみ出るよう前面板１０ｂに配置されている。なお、縦ブラックストライプ４３がはみ出る範囲は、輝度低下が少なく、かつ光吸収層が外光反射を低減するために、１つの放電セルに対応する縦隔壁２５ａの左右方向にそれぞれ均等に配置されていることが望ましい。
【００９７】
ここで、短手方向とは、縦隔壁２５ａの長さ方向であり、長手方向とは、横隔壁２５ｂの長さ方向である。また、構成要素としての横ブラックストライプ４４は、例えば、図１２に示す長方形などの矩形からなる。ここで、この横ブラックストライプ４４のずれ量（はみ出し量）を、例えば、横隔壁２５ｂの幅の１／４にする。なお、横ブラックストライプ４４の形状は、矩形に限らず、円形、楕円形、多角形でもよい。
【００９８】
また、第２ブラックストライプ各々は、複数に分割されている。第２ブラックストライプは、縦ブラックストライプ４３に相当する。分割されている理由は、縦ブラックストライプ４３は、導電性を有するため、対向電極１７どうしの短絡を防止するために、電極に接するブラックストライプは、隣のブラックストライプと繋がらないようにギャップを設けるためである。
【００９９】
また、縦ブラックストライプ４３および／又は横ブラックストライプ４４は、２層構造からなり、前面板１０ｂ側を黒色層とし、放電空間側を例えば銀等の反射率の高い金属材料から形成された反射膜を有する構成としてもよい。これにより、外光反射を低減するとともに、発光した光を反射膜で反射することにより、観察者側に出る映像光を増加させる。
【０１００】
本実施の形態では、横隔壁２５ｂの真上に横ブラックストライプ４４が配置された状態で、ずれ量分の横ブラックストライプ４４が発光部に入り込んでいるとする。ここで、発光部に入り込んでいるずれ量分の面積を面積Ａとする、この状態を初期状態とすると、例えば、前面板１０ｂの配置が下方向に横隔壁２５ｂの幅の１／４ずれた場合に、放電セルの上側では発光部に入り込む横ブラックストライプ４４の面積は、面積２Ａ分増加する。しかし、放電セルの下側では発光部から面積Ａ分退くため、横ブラックストライプ４４の面積は、面積Ａ分減少する。これにより、実質的には、放電セルの発光部に入り込む横ブラックストライプ４４の面積は面積Ａ分だけ増加する。
【０１０１】
従来のストレートタイプのブラックマトリックスを長手方向に同じ長さで配置した場合では、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【０１０２】
また、例えば、前面板１０ｂの配置が下方向に横隔壁２５ｂの幅の１／４ずれた場合に、放電セルの上側および下側では縦隔壁２５ａが露出される面積は、それぞれ面積Ａ分増加する。
【０１０３】
従来のストレートタイプのブラックマトリックスを長手方向に同じ長さで配置した場合では、放電セルの上側および下側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【０１０４】
上述した前面板１０ｂと背面板２０とは、対向電極１７とアドレス電極２３とが直交するように、かつ横隔壁２５ｂ上に横ブラックストライプ４４が配置されるようにして、微小な放電空間を挟んで対向配置されている。そして、その外周部がガラスフリット（図示せず）と呼ばれる封着材によって気密封着されている。
【０１０５】
このように構成されたプラズマディスプレイパネル１ｂにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【０１０６】
このように、本実施の形態のプラズマディスプレイパネルによれば、背面板の隔壁と前面板の光吸収層の位置ずれが生じても、横ブラックストライプが、長手方向の横隔壁から放電セル上にその一部が短手方向に交互にはみ出るよう前面板に配置されるため、輝度低下が少なく、かつ光吸収層が外光反射を低減して表示画像のコントラストを改善することができるプラズマディスプレイパネルを提供することができる。
【０１０７】
（実施の形態４）
次に、本発明の実施の形態４について説明する。図１３は、本発明の実施の形態４に係るプラズマディスプレイパネルの構成を示す斜視図である。なお、図１３において、図１ａと同じ構成要素については同じ符号を付し、説明を省略する。
【０１０８】
図１３において、プラズマディスプレイパネル１ｃは、外光反射を低減させる光吸収層としてのブラックマトリックスが配置されている前面板１０ｃと、前面板１０ｃと対向配置されている背面板２０とから構成されている。
【０１０９】
前面板１０ｃは、背面板２０との間に放電空間を形成するよう背面板２０と対向配置されている。
【０１１０】
背面板２０は、直交する隔壁により形成される複数の放電セルを有し、放電セルに蛍光体が充填されている。
【０１１１】
プラズマディスプレイパネル１ｃは、前面板１０ｃと背面板２０間の放電空間への放電により背面板２０の蛍光体を発光させて表示光を発する。
【０１１２】
前面板１０ｃは、例えば、保護層１１と、誘電体層１２と、透明電極１５と、ガラス基板からなる前面基板１６と、対向電極１７と、縦ブラックストライプ４５と、横ブラックストライプ４４とを有する。
【０１１３】
図１４は、図１３のＤ部の拡大図を示す。対向電極１７は、導電性の黒色層１７ａと金属電極層１７ｂとからなる２層構造である。金属電極層１７ｂは、放電空間側を例えば銀等の導電性の高い金属材料から形成された金属電としている。これにより、対向電極１７の導電性を高めるとともに、光を反射しやすい金属電極層１７ｂが表示面側から見えないようにしている。
【０１１４】
図１５は、図１３のＥ部の拡大図を示す。縦ブラックストライプ４５も対向電極１７と同様に２層構造からなり、前面板１０ｃ側を黒色層４５ａとし、放電空間側を例えば銀等の反射率の高い金属材料から形成された反射膜４５ｂとしている。これにより、外光反射を低減するとともに、発光した光を反射膜４５ｂで反射することにより、観察者側に出る映像光を増加させる。
【０１１５】
図１６は、実施の形態４における前面板１０ｃの縦断面図である。
【０１１６】
より詳細には、前面基板１６上に透明電極１５を形成した後、黒色材料によって縦ブラックストライプ４５の黒色層４５ａと、横ブラックストライプ４４の黒色層４４ａと、対向電極１７の黒色層１７ａとを形成する。対向電極１７の黒色層１７ａは、透明電極１５と金属電極層１７ｂの間に配置されるようにして形成する。その後、横ブラックストライプ４４の反射膜４４ｂおよび縦ブラックストライプ４５の反射膜４５ｂをそれぞれ黒色層４４ａと黒色層４５ａとの背面板２０側に形成する。なお、ブラックマトリックスは、縦ブラックストライプ４５と、横ブラックストライプ４４とで形成される。
【０１１７】
縦ブラックストライプ４４と、横ブラックストライプ４４と、黒色層１７ａとは、それぞれ、例えば以下のようにして形成することができる。まず、感光性の黒色材料からなる黒色ペーストをスクリーン印刷法等により成膜する。次に、所望のパターンを有するフォトマスクを介して紫外光を照射して光吸収層のパターンを形成する。最後に、６００℃程度の温度で焼成してペースト中の有機成分を除去する。この場合、縦ブラックストライプ４５と、横ブラックストライプ４４と、黒色層１７ａとは同じ導電性のある材料を用いる。なお、縦ブラックストライプ４５と、横ブラックストライプ４４とは、非導電性の材料を用い、黒色層１７ａは導電性の材料を用いてもよい。
【０１１８】
そして、それら透明電極１５と、縦ブラックストライプ４５と、横ブラックストライプ４４と、黒色層１７ａと、金属電極層１７ｂとを覆うように誘電体層１２を設け、さらにその上を覆うように保護層１１を設ける。
【０１１９】
ここで、横ブラックストライプ４４は、横隔壁２５ｂの真上に配置されることが望ましい。しかし、上述のように、前面板１０ｃと背面板２０を貼り合せる時にそれぞれの基板の寸法がわずかに異なり、ブラックマトリックスの位置ずれが生じる。
【０１２０】
通常、ブラックマトリックスの横ブラックストライプは、横隔壁２５ｂの幅に合わせた均等な幅を有するストライプから構成される。そのため、短手方向に前面板１０ｃの位置ずれが生じると、位置ずれが生じた分だけ蛍光体層２４が塗布された発光部を横ブラックストライプが覆う。
【０１２１】
本実施の形態では、横ブラックストライプの形状を工夫して、横ブラックストライプの位置ずれが生じても、輝度低下を少なく、かつ光吸収層が外光反射を低減して表示画像のコントラストを改善することができるプラズマディスプレイパネルを提供する。
【０１２２】
図１７は、背面板２０の縦隔壁２５ａと、前面板１０ｃの透明電極１５と、対向電極１７と、縦ブラックストライプ４５と、横ブラックストライプ４４との位置関係を示した正面概略図である。なお、横隔壁２５ｂは、横ブラックストライプ４４の下に配置されている。
【０１２３】
前面板１０ｃは、映像表示面の長手方向と平行な第１方向の隔壁に各々対応して隔壁の前面板側に並列配置された第１ブラックストライプを有する。具体的には、前面板１０ｃは、長手方向の横隔壁２５ｂに各々対応して並列配置された長手方向の横ブラックストライプ４４を有する。ここで、第１方向は、映像表示画の長手方向であり、第１ブラックストライプは、横ブラックストライプ４４に相当する。なお、前面板１０ｃの短手方向と、映像表示面の短手方向とは一致し、前面板１０ｃの長手方向と、映像表示面の長手方向とは一致する。
【０１２４】
さらに、第１ブラックストライプ各々は、第１方向の隔壁の両側に位置するセル上にその一部が交互にはみ出るよう前面板に配置される。具体的には、各々の横ブラックストライプ４４は、長手方向の横隔壁２５ｂから放電セル上にその一部が短手方向に交互にはみ出るよう前面板１０ｃに配置されている。なお、横ブラックストライプ４４がはみ出る範囲は、輝度低下が少なく、かつ光吸収層が外光反射を低減するために、１つの放電セルに対応する横隔壁２５ｂの上下方向にそれぞれ均等に配置されていることが望ましい。
【０１２５】
また、第１ブラックストライプ各々は、第１方向と直交する第２方向の端部に凹凸形状を有する。具体的には、横ブラックストライプ４４の一部が短手方向に交互にはみ出ることにより、各々の横ブラックストライプ４４は、短手方向に交互に凹凸形状を有する。ここで、第２方向は、短手方向である。また、横ブラッストライプ４４の一部が長手方向と直交する短手方向に交互にはみ出ることにより、横ブラックストライプ４４各々は、長手方向端部に凹凸形状を有する。
【０１２６】
また、横ブラックストライプ４４各々の長手方向の一方の端部の凸部と、他方の端部の凸部とは、同一形状である。同一形状とすることにより、発光される表示光は、放電セル毎に均一なる。
【０１２７】
また、短手方向に隣り合う横ブラックストライプ４４は、同一形状である。同一形状とすることにより、画面全体の表示光は、均一に発光される。
【０１２８】
また、前面板１０ｃは、短手方向の縦隔壁２５ａに各々対応して縦隔壁２５ａの前面板側に並列配置された短手方向の縦ブラックストライプ４５を有し、並列配置された長手方向の横ブラックストライプ４４の一部は、並列配置された短手長手の縦ブラックストライプ４５に接するよう配置されている。そして、各々の縦ブラックストライプ４５は、短手方向の縦隔壁２５ａから放電セル上にその一部が長手方向に交互にはみ出るよう前面板１０ｃに配置されている。なお、縦ブラックストライプ４５がはみ出る範囲は、輝度低下が少なく、かつ光吸収層が外光反射を低減するために、１つの放電セルに対応する縦隔壁２５ａの左右方向にそれぞれ均等に配置されていることが望ましい。
【０１２９】
ここで、短手方向とは、縦隔壁２５ａの長さ方向であり、長手方向とは、横隔壁２５ｂの長さ方向である。また、構成要素としての横ブラックストライプ４４は、例えば、図１７に示す長方形などの矩形からなる。ここで、この横ブラックストライプ４４のずれ量（はみ出し量）を、例えば、横隔壁２５ｂの幅の１／４にする。なお、構成要素としての横ブラックストライプ４４の形状は、矩形に限らず、円形、楕円形、多角形でもよい。
【０１３０】
また、第２ブラックストライプ各々は、複数に分割されている。第２ブラックストライプは、縦ブラックストライプ４５に相当する。分割されている理由は、縦ブラックストライプ４５は、導電性を有するため、対向電極１７どうしの短絡を防止するために、電極に接するブラックストライプは、隣のブラックストライプと繋がらないようにギャップを設けるためである。
【０１３１】
また、縦ブラックストライプ４５および／又は横ブラックストライプ４４は、２層構造からなり、前面板１０ｃ側を黒色層とし、放電空間側を例えば銀等の反射率の高い金属材料から形成された反射膜を有する構成としてもよい。これにより、外光反射を低減するとともに、発光した光を反射膜で反射することにより、観察者側に出る映像光を増加させる。
【０１３２】
本実施の形態では、横隔壁２５ｂの真上に横ブラックストライプ４４が配置された状態で、ずれ量分の横ブラックストライプ４４が発光部に入り込んでいるとする。ここで、発光部に入り込んでいるずれ量分の面積を面積Ａとする、この状態を初期状態とすると、例えば、前面板１０ｃの配置が下方向に横隔壁２５ｂの幅の１／４ずれた場合に、放電セルの上側では発光部に入り込む横ブラックストライプ４４の面積は、面積２Ａ分増加する。しかし、放電セルの下側では発光部から面積Ａ分退くため、横ブラックストライプ４４の面積は、面積Ａ分減少する。これにより、実質的には、放電セルの発光部に入り込む横ブラックストライプ４４の面積は面積Ａ分だけ増加する。
【０１３３】
従来のストレートタイプのブラックマトリックスを長手方向に同じ長さで配置した場合では、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【０１３４】
また、例えば、前面板１０ｃの配置が下方向に横隔壁２５ｂの幅の１／４ずれた場合に、放電セルの上側および下側では縦隔壁２５ａが露出される面積は、それぞれ面積Ａ分増加する。
【０１３５】
従来のストレートタイプのブラックマトリックスを長手方向に同じ長さで配置した場合では、放電セルの上側および下側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【０１３６】
上述した前面板１０ｃと背面板２０とは、対向電極１７とアドレス電極２３とが直交するように、かつ横隔壁２５ｂ上に横ブラックストライプ４４が配置されるようにして、微小な放電空間を挟んで対向配置されている。そして、その外周部がガラスフリット（図示せず）と呼ばれる封着材によって気密封着されている。
【０１３７】
このように構成されたプラズマディスプレイパネル１ｃにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【０１３８】
このように、本実施の形態のプラズマディスプレイパネルによれば、背面板の隔壁と前面板の光吸収層の位置ずれが生じても、縦ブラックストライプが、長手方向の横隔壁から放電セル上にその一部が短手方向に交互にはみ出るよう前面板に配置されるため、輝度低下が少なく、かつ光吸収層が外光反射を低減して表示画像のコントラストを改善することができるプラズマディスプレイパネルを提供することができる。
【０１３９】
（比較例１）
次に、実施の形態１に対する比較例１について説明する。図１８ａは、比較例１におけるプラズマディスプレイパネルの横ブラックストライプと隔壁の位置関係を示した正面概略図である。図１８ｂは、図１８ａのプラズマディスプレイパネルから前面基板１６を省略したプラズマディスプレイパネルの斜視図である。
【０１４０】
比較例１の前面板１０ｄにおいて、図４に示す実施の形態１における横ブラックストライプ１３に代えて、ストレートタイプの横ブラックストライプ５５を有する。
【０１４１】
図１９は、図１８のＦ部の拡大図を示す。比較例１の対向電極１７は、導電性の黒色層１７ａと金属電極層１７ｂとからなる２層構造である。金属電極層１７ｂは、放電空間側を例えば銀等の導電性の高い金属材料から形成された金属電としている。これにより、対向電極１７の導電性を高めるとともに、光を反射しやすい金属電極層１７ｂが表示面側から見えないようにしている。
【０１４２】
なお、図２０は、背面板２０の縦隔壁２５ａと、前面板１０の透明電極１５と、対向電極１７と、横ブラックストライプ５５との位置関係を示した比較例１の正面概略図である。
【０１４３】
前面板１０と、前面板１０ｄとを有するプラズマディスプレイパネルをそれぞれ作製した。そして、短手方向の横ブラックストライプの横隔壁に対する短手方向のずれ量を、０μｍ、１０μｍ、２０μｍに設定して、それぞれのパネル毎に明所コントラストを測定して比較した。
【０１４４】
外部からの光の入射が遮蔽された実験室内に、各プラズマディスプレイパネルに同じ駆動回路を取り付けて発光させ、明所コントラストの測定を行った。また、実験室の天井には、照明器具が配置されており、照明器具を点灯したとき、表示画面上の外光照度は１００ルクスであった。そして、プラズマディスプレイパネルの表示画面が全面黒一色の場合と全面白一色の場合とについて、輝度を測定し、両者の比を求め、求められた比を明所コントラストとした。
【０１４５】
図２１は、比較例１と、実施の形態１とのコントラストの比較を示す図である。横ブラックストライプ５５の位置ずれが０μｍのときのコントラストを１として、グラフにおいて比較した。位置ずれ量が０μｍのときは、実施の形態１より比較例１のコントラストが高くなった。
【０１４６】
しかし、位置ずれ量が大きくなると比較例１のコントラストは大きく変動して低くなる。これに対して、実施の形態１および実施の形態２の場合は、比較例１と比べてコントラストの変動が小さい。このため、横ブラックストライプが背面板の横隔壁と短手方向に位置ずれが生じても、輝度の変動が少なく、結果としてコントラストの変動が少ないプラズマディスプレイパネルを提供することができる。
【０１４７】
（比較例２）
次に、実施の形態２と、実施の形態３と、実施の形態４とに対する比較例２について説明する。図２２は、背面板２０の縦隔壁２５ａと、前面板１０ｅの透明電極１５と、対向電極１７と、横ブラックストライプ５５との位置関係を示した比較例２の正面概略図である。
【０１４８】
比較例２の前面板１０ｅにおいて、図８に示す実施の形態２、図１２に示す実施の形態３、および図１７に示す実施の形態４における縦ブラックストライプ４３と４５に代えて、ストレートタイプの縦ブラックストライプ５６を有する。
【０１４９】
前面板１０ａと、前面板１０ｂと、前面板１０ｃと、前面板１０ｅとを有するプラズマディスプレイパネルをそれぞれ作製した。そして、短手方向の横ブラックストライプの横隔壁に対する短手方向のずれ量を、０μｍ、１０μｍ、２０μｍに設定して、それぞれのパネル毎に明所コントラストを測定して比較した。
【０１５０】
外部からの光の入射が遮蔽された実験室内に、各プラズマディスプレイパネルに同じ駆動回路を取り付けて発光させ、明所コントラストの測定を行った。また、実験室の天井には、照明器具が配置されており、照明器具を点灯したとき、表示画面上の外光照度は１００ルクスであった。そして、プラズマディスプレイパネルの表示画面が全面黒一色の場合と全面白一色の場合とについて、輝度を測定し、両者の比を求め、求められた比を明所コントラストとした。
【０１５１】
図２３は、比較例２と、実施の形態２、実施の形態３、および実施の形態４とのコントラストの比較を示す図である。横ブラックストライプ５５の位置ずれが０μｍのときのコントラストを１として、グラフにおいて比較した。位置ずれ量が０μｍのときは、実施の形態２、実施の形態３および実施の形態４より比較例２のコントラストが高くなった。
【０１５２】
しかし、位置ずれ量が大きくなると比較例２のコントラストは大きく変動して低くなる。これに対して、実施の形態２、実施の形態３および実施の形態４の場合は、比較例２と比べてコントラストの変動が小さい。このため、横ブラックストライプが背面板の横隔壁と短手方向に位置ずれが生じても、輝度の変動が少なく、結果としてコントラストの変動が少ないプラズマディスプレイパネルを提供することができる。
【産業上の利用可能性】
【０１５３】
本発明に係るプラズマディスプレイパネルは、背面板の隔壁と前面板の光吸収層の位置ずれが生じても、輝度低下が少なく、かつ光吸収層が外光反射を低減して表示画像のコントラストを改善することができるプラズマディスプレイパネとして有用である。すなわち、本発明は、コントラストが高く明るい画像の表示が要望されるＴＶ受像機や情報端末ディスプレイ等に好適である。
【図面の簡単な説明】
【０１５４】
【図１ａ】実施の形態１におけるプラズマディスプレイパネルの構成を示す斜視図
【図１ｂ】実施の形態１におけるプラズマディスプレイパネルの前面基板を省いた構成を示す斜視図
【図２】実施の形態１における図１のＡ部拡大図
【図３】実施の形態１における前面板の縦断面図
【図４】実施の形態１におけるプラズマディスプレイパネルのブラックマトリックスと隔壁の位置関係を示した正面概略図
【図５ａ】実施の形態２におけるプラズマディスプレイパネルの構成を示す斜視図
【図５ｂ】実施の形態２におけるプラズマディスプレイパネルの前面基板を省いた構成を示す斜視図
【図６】実施の形態２における図５のＢ部拡大図
【図７】実施の形態２における前面板の縦断面図
【図８】実施の形態２におけるプラズマディスプレイパネルのブラックマトリックスと隔壁の位置関係を示した正面概略図
【図９】実施の形態３におけるプラズマディスプレイパネルの構成を示す斜視図
【図１０】実施の形態３における図９のＣ部拡大図
【図１１】実施の形態３における前面板の縦断面図
【図１２】実施の形態３におけるプラズマディスプレイパネルのブラックマトリックスと隔壁の位置関係を示した正面概略図
【図１３】実施の形態４におけるプラズマディスプレイパネルの構成を示す斜視図
【図１４】実施の形態４における図１３のＤ部拡大図
【図１５】実施の形態４における図１３のＥ部拡大図
【図１６】実施の形態４における前面板の縦断面図
【図１７】実施の形態４におけるプラズマディスプレイパネルのブラックマトリックスと隔壁の位置関係を示した正面概略図
【図１８ａ】比較例１におけるプラズマディスプレイパネルの構成を示す斜視図
【図１８ｂ】比較例１におけるプラズマディスプレイパネルの前面基板を省いた構成を示す斜視図
【図１９】比較例１における図１８のＦ部拡大図
【図２０】比較例１におけるプラズマディスプレイパネルのブラックマトリックスと隔壁の位置関係を示した正面概略図
【図２１】実施の形態１におけるプラズマディスプレイパネルと比較例１のコントラストの比較図
【図２２】比較例２におけるプラズマディスプレイパネルのブラックマトリックスと隔壁の位置関係を示した正面概略図
【図２３】実施の形態２、３および４におけるプラズマディスプレイパネルと比較例２のコントラストの比較図
【符号の説明】
【０１５５】
１０、１０ａ、１０ｂ、１０ｃ  前面板
１１  保護層
１２  誘電体層
１３、３３、４４  横ブラックストライプ
４３、４５  縦ブラックストライプ
１５  透明電極
１６  前面基板
１７  対向電極
１７ａ  黒色層
１７ｂ  金属電極層
２０  背面板
２１  背面基板
２２  誘電体層
２３  アドレス電極
２４  蛍光体層
２５  隔壁
２５ａ  縦隔壁
２５ｂ  横隔壁
４４ａ、４５ａ  黒色層
４４ｂ、４５ｂ  反射膜
４７  保護膜
【図１ａ】
2009193947.tif 000003
【図１ｂ】
2009193947.tif 000004
【図２】
2009193947.tif 000005
【図３】
2009193947.tif 000006
【図４】
2009193947.tif 000007
【図５ａ】
2009193947.tif 000008
【図５ｂ】
2009193947.tif 000009
【図６】
2009193947.tif 000010
【図７】
2009193947.tif 000011
【図８】
2009193947.tif 000012
【図９】
2009193947.tif 000013
【図１０】
2009193947.tif 000014
【図１１】
2009193947.tif 000015
【図１２】
2009193947.tif 000016
【図１３】
2009193947.tif 000017
【図１４】
2009193947.tif 000018
【図１５】
2009193947.tif 000019
【図１６】
2009193947.tif 000020
【図１７】
2009193947.tif 000021
【図１８ａ】
2009193947.tif 000022
【図１８ｂ】
2009193947.tif 000023
【図１９】
2009193947.tif 000024
【図２０】
2009193947.tif 000025
【図２１】
2009193947.tif 000026
【図２２】
2009193947.tif 000027
【図２３】
2009193947.tif 000028